(57)【要約】【課題】乾燥用空気を誘導して折畳み型コンテナの前面側から後面側に貫流させ、側面側から流出するのを抑制して農産物を乾燥むら無く効率的に乾燥し、また乾燥コストの節減に優れており、かつ前面パネル及び後面パネルが振動等で架台から脱落することのない安全性に優れた折畳み型コンテナを提供する。【解決手段】略四角形の架台２の四隅に支柱５が立設してあり、前面パネル８と後面パネル１０は支柱５に設けたパネル支持機構９の支持ピンを挿脱することによって、起立状態に支持し、また回動可能な状態になる。各パネル８、１０、１１は架台２上に折畳み可能で、側面パネル１１の上部側には乾燥用空気を誘導する遮蔽版１５が設けてあり、下半分は開放させてある。【選択図】図２
2019082301.tif 000002
【特許請求の範囲】
【請求項１】
平面略四角形の架台と、該架台の四隅に立設した支柱と、該支柱に軸支して回動可能に立設した前面パネル、後面パネル及び左右の側面パネルと、該４枚のパネルを連結して枠状に形成する連結機構とからなり、前記各側面パネルの上部側は、前記前面パネルと後面パネルとの間を貫流する乾燥用空気を誘導する遮蔽板によって覆い、下部側は開放させてあることを特徴とする折畳み型コンテナ。
【請求項２】
前記前面パネルは、前記支柱に軸支する下パネル部と、該下パネル部にヒンジを介して回動可能に連結した上パネル部とから二つ折り可能に構成してあることを特徴とする請求項１記載の折畳み型コンテナ。
【請求項３】
前記ヒンジは、前記後面パネルの構成材と緩衝しない位置に配設してあることを特徴とする請求項２記載の折畳み型コンテナ。
【請求項４】
前記支柱に設けるパネル支持機構は、該支柱に形成した通し穴と同軸に固着したピン螺合体と、該ピン螺合体に螺入し、先端側が前記前面パネル及び後面パネルに係脱する支持ピンとから構成し、該支持ピンを進出係合させることにより前記前面パネル及び後面パネルを起立状態に支持するようにした請求項１記載の折畳み型コンテナ。
【請求項５】
前記支柱に、該支柱に形成した通し穴に挿入した支持ピンと、該支持ピンを軸方向及び周方向に作動するピン作動片からなるパネル支持機構を設け、該ピン作動片により前記支持ピンを変位させて先端側を前記前面パネル及び後面パネルに挿入することにより、該前面パネル及び後面パネルを起立状態に支持するようにした請求項１記載の折畳み型コンテナ。
【請求項６】
前記遮蔽板は、前記側面パネルの縦幅の１／３〜１／４の縦幅に設定してある請求項１記載の折畳み型コンテナ。
【請求項７】
前記側面パネルは、下枠材を前記架台に係止することにより外側に傾斜可能であることを特徴とする請求項１記載の折畳み型コンテナ。
【発明の詳細な説明】
【技術分野】
【０００１】
本発明は、例えば収穫した玉ねぎ、ジャガイモ等の農産物を収納し、保管し、また移送するために用いる折畳み型コンテナに関し、殊に農産物を乾燥するのに好適な折畳み型コンテナに関する。
【背景技術】
【０００２】
収穫した農産物は雨、露等で濡れている場合が多いが、濡れた状態や湿気を帯びた状態のままでコンテナに収納して貯蔵倉庫で保管すると、黴が生える、微生物やバクテリアが繁殖する等の原因で農産物が傷み、また腐敗することにより、品質の劣化を招き、商品として販売できない結果を招くことになる。
【０００３】
そこで、一例として、農産物を収納した複数個のコンテナを横方向に列設し、上方に乾燥用空気が逃げるのを防止する防風シートを被せて横方向からコンテナ内に乾燥用空気を吹き込むことで農産物を乾燥させる乾燥方法が行われている。また、他の例として、農産物を収納した複数個のコンテナを縦列状態に列設し、上方に乾燥用空気が逃げるのを防止する防風シートを被せた状態にして、前側からコンテナ内に乾燥用空気を吹き込み、列設したコンテナ内を順次貫流させて最後部のコンテナから外方に放出させることで農産物を乾燥させる乾燥方法も行われている。
【０００４】
更に、従来のコンテナにおいては、前面パネルと後面パネルを架台に回動可能に連結する手段として支柱にスライドピンを設けて軸支する方法を用いていたが、フォークリフトによる搬送中の振動や、農産物の排出のための側方への回転の際に、ピンがスライドして前面パネル或いは後面パネルが架台から落下する事態が起きていた。
【先行技術文献】
【特許文献】
【０００５】
【特許文献１】見出せず。
【発明の概要】
【発明が解決しようとする課題】
【０００６】
しかし、上述した従来技術のうち、コンテナを横方向に列設して乾燥する方法は、多くの乾燥機を必要とするという問題がある。また、コンテナを縦列状態に列設して前側から乾燥用空気を吹き込んで乾燥する方法は、防風シートをコンテナの上面側に被せているだけなので、コンテナの側面両側から乾燥用空気が逃げて乾燥用空気が貫流しないため、コンテナ内下部側の農産物の乾燥に時間を要する、収納した上下位置によって農産物に乾燥むらを生じる、乾燥のコストが嵩むという問題がある。
【０００７】
本発明は上述した従来技術の諸問題に鑑みなされたもので、乾燥用空気を折畳み型コンテナの前側から後側に貫流させ、側面側から流出するのを抑制することにより、農産物を乾燥むら無く効率的に乾燥し、また乾燥コストの節減に優れており、かつ前面パネル及び後面パネルが振動等で架台から脱落することのない安全性に優れた折畳み型コンテナを提供することを目的とする。
【課題を解決するための手段】
【０００８】
（１）上述した課題を解決するために構成した本発明の手段は、平面略四角形の架台と、該架台の四隅に立設した支柱と、該支柱に軸支して回動可能に立設した前面パネル、後面パネル及び左右の側面パネルと、該４枚のパネルを連結して枠状に形成する連結機構とからなり、前記各側面パネルの上部側は、前記前面パネルと後面パネル間を貫流する乾燥用空気を誘導する遮蔽板によって覆い、下部側は開放させたことにある。
（２）そして、前記前面パネルは、前記支柱に軸支する下パネル部と、該下パネル部にヒンジを介して回動可能に連結した上パネル部とから二つ折り可能に構成するとよい。
（３）また、前記ヒンジは、前記後面パネルの構成材と緩衝しない位置に配設するとよい。
（４）更に、前記支柱に設けるパネル支持機構は、該支柱に形成した通し穴と同軸に固着したボルト螺合体と、該ボルト螺合体に螺入し、先端側が前記前面パネル及び後面パネルに係脱する支持ピンとから構成し、該支持ピンを進出係合させることにより前記前面パネル及び後面パネルを起立状態に支持するようにするとよい。
（５）また、前記支柱に、該支柱に形成した通し穴に挿入した支持ピンと、該支持ピンを軸方向及び周方向に作動するピン作動片からなるパネル支持機構を設け、該ピン作動片により前記支持ピンを変位させて先端側を前記前面パネル及び後面パネルに挿入することにより、該前面パネル及び後面パネルを起立状態に支持するようにするとよい。
（６）また、前記遮蔽板は、前記側面パネルの縦幅の１／３〜１／４の縦幅に設定するとよい。
（７）更に、前記側面パネルは、下枠材を前記架台に係止させることにより外側に傾斜可能にするとよい。
【発明の効果】
【０００９】
（１）側面パネルの上部側に遮蔽板を設け、前面から吹込む乾燥用空気が側方に流出するのを防止して後方に貫流するようにしたから、高い乾燥効率を上げることができるし、乾燥時間を短縮することができる。
（２）側面パネルは閉塞板で全面的に覆わずに下部側は開放して乾燥用空気の一部は放出するようにしたから、農産物に触れて湿った空気が増加して後方に流動する間に乾燥している農産物まで湿らせる事態を防止できる。
（３）下パネル部と上パネル部を連結する複数個のヒンジは、列設する後面パネルと緩衝しない位置に配設したので、折畳み型パネルは密接状態に縦列することができ、乾燥用空気を確実に貫流させて農産物の乾燥効率を高めることができる。
（４）前面パネル及び後面パネルは、支柱に設けたボルト支持機構の支持ピンにより支持し、支持ピンは係止可能な構成にしたから、スライドピンの抜け落ちによるこれらパネルの落下事故を確実に防止することができる。
（５）側面パネルの上部側に設ける遮蔽板は、側面パネルの縦幅の１／３〜１／４の縦幅とし、側面パネルの下部側は密閉しないで開放する構成にしたから、湿気を含んだ空気の一部は側方から流出して全てが貫流しないので、より高い乾燥効率を得ることができる。
（６）側面パネルは、下枠材を架台に係止することにより外側に傾斜可能にし、側面パネルが略水平状態に全開しない構成にしたから、折畳み型コンテナを折畳む作業の負担を軽減できるし、作業効率を図ることができる。
【図面の簡単な説明】
【００１０】
【図１】図１乃至図１８は本発明の第１の実施の形態に係り、図１は折畳み型コンテナの斜視図である。
【図２】パネルを展開した折畳み型コンテナの斜視図である。
【図３】折畳んだ状態の折畳み型コンテナの斜視図である。
【図４】折畳み型コンテナの正面図である。
【図５】折畳み型コンテナの背面図である。
【図６】折畳み型コンテナの右側面図である。
【図７】側面パネルの斜視図である。
【図８】支柱に支持ピンを螺挿した状態の説明図である。
【図９】支柱に支持ピンを螺挿した状態の斜視図である。
【図１０】支持ピンの説明図である。
【図１１】架台に対し起立させた側面パネルの部分断面図である。
【図１２】架台に対し内側に傾斜させた側面パネルの部分断面図である。
【図１３】架台に対し外側に傾斜させた側面パネルの部分断面図である。
【図１４】傾斜した側面パネルと架台の係止状態を示す説明図である。
【図１５】側面パネルを外側に傾斜させた状態の正面図である。
【図１６】折畳み型コンテナの列設した状態の説明図である。
【図１７】折畳み型コンテナの列設状態を示す部分側面図である。
【図１８】折畳み型コンテナを用いた乾燥方法の説明図である。
【図１９】図１９乃至図２１は第２の実施の形態に係り、図１９はパネル支持機構の全体構成図である。
【図２０】当て板の斜視図である。
【図２１】支持ピンとピン作動片の斜視図である。
【図２２】図２２乃至図２４は第３の実施の形態に係り、図２２はパネル支持機構の全体構成図である。
【図２３】当て板の斜視図である。
【図２４】支持ピンとピン作動片の斜視図である。
【発明を実施するための形態】
【００１１】
以下、本発明の実施の形態を図面に基づき詳述する。図において、１は折畳み型コンテナ（以下、コンテナ１と略称する。）、２は該コンテナ１を構成する四角形の架台を示す。３は該架台２を構成する床面パネルで、該床面パネル３は鋼材を四角形に組んだ枠部３Ａと、該枠部３Ａの内側に架設した複数本の横フレーム３Ｂとから構成してある。４は架台２を構成し、該床面パネル３の下側に設けた載置体を示し、該載置体４は床面パネル３の四隅下側に設けた４本の脚４Ａ、４Ａ、・・と、前後一対の脚４Ａ、４Ａに架設した側板４Ｂと、前後に位置して左右の脚４Ａ、４Ａに連結した下支持材４Ｃと、床面パネル３と下支持材４Ｃとに連結して前後方向に配設した２本の補強材４Ｄ、４Ｄと、床面パネル３の下面に前後方向に固着した左右一対のフォーク受け板４Ｅ、４Ｅとからなり、載置体４の内側にフォークリフトのフォークが挿脱可能になっている。
【００１２】
５、５、・・は前記架台２の四隅に立設した鋼材からなる支柱で、該各支柱５は一対の対向片５Ａ、５Ａと、該対向片５Ａ、５Ａを連結する支持片５Ｂとから平面視略コ字状に形成してある。６は後側に位置する左右一対の支柱５、５間に架設した後横板、７、７は左右に位置する前後の支柱５、５間に架設した側横板を示す。該各側横板７は図１１乃至図１２に示すように、上面を水平面７Ａと傾斜面７Ｂとから略ヘ字状に形成し、水平面７Ａは後述する側面パネル１２の枠部１２Ａの下縁１２Ａ１が当接するストッパー面になっている。
【００１３】
８は前側に位置する左右の支柱５、５に枢支して矢示イ方向に回動可能に軸支した前面パネルを示す。該前面パネル８は下パネル部８Ａと、上パネル部８Ｂと、両パネル部８Ａ、８Ｂを連結するヒンジ８Ｃ、８Ｃ、・・とから構成してある。上パネル部８Ａ及び上パネル部８Ｂは、鋼材で横長枠状に形成した枠部８Ａ１（８Ｂ１）と、枠部８Ａ１（８Ｂ１）内に配設した３本の縦桟８Ａ２（８Ｂ２）とから構成してある。
そして、下パネル部８Ａと上パネル部８Ｂは４個のヒンジ８Ｃによって連結してあり、上パネル部８Ｂは外方に回動して二つ折り可能になっている。これにより、農産物をコンテナ内に収納する作業を効率的に行うことができる。
【００１４】
ここで、下枠部８Ａ１と上枠部８Ｂ１に取付けた前記４個のヒンジ８Ｃ、８Ｃ、・・は、後述する後面パネル１０の縦桟１０Ｂに対して横方向に変位させて配設することにより、コンテナ１、１を縦列方向に列設した場合に前側（後側）のコンテナ１の構成材と緩衝しないようにしてあるから、コンテナ１は密接して縦列することができる。従って、トラックや鉄道コンテナに積載する場合にスペースが得られるので作業性が向上する。
【００１５】
９は前面パネル８及び後面パネル１０を架台２に対して起立状態に支持するパネル支持機構を示す。該パネル支持機構９は、図８乃至図１０に示すように、支柱５の一の対向片５Ａに穿設した通し穴９Ａと同軸に対向片５Ａに溶接により固着した固定ナット９Ｂと、該固定ナット９Ｂに螺挿した六角ボルトからなる支持ピン９Ｃとから構成してある。ここで、該支持ピン９Ｃは頭部９Ｃ１と、該頭部９Ｃ１に続く雄ねじ部９Ｃ２と、該雄ねじ部９Ｃ２から突出するシャフト部９Ｃ３からなり、前記固定ナット９Ｂに雄ねじ部９Ｃ２を螺合してシャフト部９Ｃ３を側方に突出させた状態で支柱５に設けてある。
そして、シャフト部９Ｃ３を下パネル部８Ａの枠部８Ａ１及び後面パネル１０の枠部１０Ａに挿嵌することにより、前面パネル８及び後面パネル１０は起立状態に支持することができる。また、支持ピン９を螺回して後退させ、各パネル８（１０）から離脱させることにより、各パネル８（１０）は回転可能な状態になる。
【００１６】
ここで、前面パネル８及び後面パネル１０を支柱５に設けたパネル支持機構９によって支持する構成にしたのは、支柱５にスライドピンを挿設した従来のパネル支持方法では、フオークリフトによる運搬時の振動や、コンテナ内から農産物を排出するためにコンテナを側面側に転倒させた場合に、スライドピンがスライドして前面或いは後面パネルから離脱し、架台から脱落する事態が起きていた。そこで、固定ナット９Ｂに螺挿する支持ピン９Ｃによって前面及び後面パネル８、１０を支持することにより、前面・後面の各パネル８、１０の脱落を確実に防止することにある。
【００１７】
１０は前面パネル８に対向する後面パネルを示し、図５に示すように、該後面パネル１０は鋼材からなる横長枠状に形成した枠部１０Ａと、該枠部１０Ａ内に配列した３本の縦材１０Ｂ、１０Ｂ，１０Ｂと、該縦桟１０Ｂの内側に位置して高さ方向略中間の位置に枠部１０Ａに横設した横桟１０Ｃとから構成してある。
上述の構成からなる後面パネル１０は、後側に位置する左右の支柱５、５に設けたパネル支持体９によって矢示ハ方向の内側方向に回動可能に軸支され、前面パネル８と同様に架台２上に折畳み可能になっている。
【００１８】
１１、１１は前面パネル８及び後面パネル１０より上方の位置で支柱５、５に支持ピン１２により矢示ニ方向に回動可能に支持された左右の側面パネルを示す。該各側面パネル１１は鋼材からなる四角形の枠部１１Ａと、該枠部１１Ａの中央に設けた縦桟１１Ｂと、該縦桟１１Ｂの内側に位置して横架した横桟１１Ｃとから構成してある。
そして、前記枠部１１Ａの上面には、幅方向両端側に位置してコンテナ係合突起１３、１３が突設してあり、積載するコンテナ１の載置体４に形成してある係合穴（図示せず。）に嵌合させることで、コンテナ１の積載時の位置ずれを防止して安定性を確保し、また地震等による揺れに対処している。
【００１９】
１４、１４、・・は前面パネル８、後面パネル１０及び左右の側面パネル１１、１１を連結して枠状に形成するための連結機構を示す。該連結機構１４は側面パネル１１を構成する枠部１１Ａの縦枠材１１Ａ１に回動可能に設けた係合レバー１４Ａと、前面パネル８の下パネル部８Ａと上パネル部８Ｂ及び後面パネル１１の枠部１１Ａに穿設したスリット状の係止孔１４Ｂとから構成してあり、前面パネル８の下パネル部８Ａ及び上パネル部８Ｂと後面パネル１０を左右の側面パネル１１、１１に係脱可能に連結することで枠状に形成し、また折畳み可能になっている。
【００２０】
１５は前記各側面パネル１１の上部側に設けた金属材又は合成樹脂材からなる遮蔽板を示す。該遮蔽板１５は枠部１１Ａの縦幅の約３分の１〜４分の１の縦幅に設定した横長平板からなり、枠部１１Ａの内側に固着してある。そして、遮蔽板１５は側面パネル１１の上部側に設け、下部側は開放させてある。これは、コンテナ１に前方から吹込んだ乾燥用空気Ａの多くが農産物に当って側面パネル１１から側方に流出するのを閉塞板１５によって防止することにより後方に貫流させるためである。
また、側面パネル１１を閉塞板１５で全面的に閉塞すると、湿気を含んだ空気がコンテナ内を流動して列設してある後続のコンテナ１に流入するため、農産物が返って湿気を帯びるという問題、乾燥効率が上がらず乾燥時間を短縮できないという問題が生じることから、側面パネル１１の上部側に閉塞板１５を設ける構成にすることで、乾燥用空気Ａをコンテナ１に貫流させて農産物を効率的に乾燥できるようにしてある。
【００２１】
なお、各パネル８、１０、１１は内側に棒鋼を配設してネットを張設し、通気性を保ちながら農産物を収納する構成にしてあるが、ネットは公知技術であるので詳細な説明は省略する。
【００２２】
本実施の形態に係る折畳み型コンテナ１は上述の構成からなるもので、畑で収納した農産物を乾燥するために、乾燥施設内に図１８に示すように複数個の折畳み型コンテナ１、１、・・・を縦列状態に配置し、上面に防風シートＳを被せる。
ここで、前面パネル８に設けた４個のヒンジ８Ｃ、８Ｃ、・・は、後面パネル１０の縦桟１０Ｂに対して横方向に変位させて配設してあるから、図１６、図１７に示すように、コンテナ１、１はヒンジ８Ｃの緩衝が無いので縦方向に密に列設することができ、乾燥用空気Ａがコンテナ１、１の隙間から流出する現象を可及的に防止し、乾燥効率を高めることができる。この状態で、折畳み型コンテナ１の前面（必ずしも、前面パネル８側である必要はない。）から乾燥用空気Ａを吹込む。
【００２３】
吹込まれた乾燥用空気Ａはコンテナ１内を流動して収納してある農産物に付着している水分を蒸発させる。蒸発した水分は防風シートＳの両縁側の隙間及び側面パネル１２の下部側の開口部分から流出するが、各側面パネル１１には上部側に略３分の１の縦幅の遮蔽板１５を設けることにより、乾燥用空気が前方から後方に円滑に貫流するのを誘導し、また側面パネル１１から直ちに流出してしまうのを防止することで、高い乾燥効率を実現し、農産物の乾燥不良による損傷の発生を予防することができる。
【００２４】
かつ、側面パネル１１の下部側は開放した状態に構成し、湿気を帯びた乾燥用空気の一部は当該開放部分から放出することにより、湿気を帯びた乾燥用空気の全量が縦列してあるコンテナ１、１、・・内を貫流して逆に農産物を湿らせる事態を解消するようにしてある。
【００２５】
更に、本実施の形態では、前面パネル８及び後面パネル１０は支柱５に設けたパネル支持機構９の支持ピン９Ｃにより支持する構成にしたから、フォークリフトによるコンテナ１の搬送時の振動や、収納した農産物の移載時のコンテナ１の傾斜によっても前面パネル８や後面パネル１０が架台２から脱落する事態を確実に防止することができる。
【００２６】
図１９乃至図２１は第２の実施の形態を示す。図において、２１は前面パネル８及び後面パネル１０を架台２に対して起立状態に支持するためのパネル支持機構を示す。２２は該パネル支持機構２１を構成する鋼板製の当て板で、該当て板２２は支柱５に固着する横長の固定板部２２Ａと、該固定板部２２Ａの上端から前方に向けて水平に突出する平面視略Ｌ字状の当て板部２２Ｂと、前記固定板部２Ａに固着した補強板部２２Ｃとから側面視略倒置Ｌ字状に形成してあり、支柱５の内面に略水平に固着してある。そして、前記補強板２２Ｃには固定ナット２３が固着してある。
【００２７】
２４は前面パネル８（後面パネル１０）に挿脱する支持ピンを示す。該支持ピン２４は支柱５の対向板５Ａ、５Ａに穿設した通し穴２５、２５に矢示イ方向の横方向、矢示ロ方向の周方向に摺動可能に挿通してある。２６は対向板５Ａ、５Ａの間に位置して基端側２６Ａを支持ピン２４に取着したピン作動片で、該ピン作動片２６の先端側２６Ｂにはボルト挿通穴２６Ｃが設けてあり、締着ボルト２７が挿入してある。そして、ピン作動片２６は支持ピン２４と一体に上下方向に回動可能になっている。
【００２８】
本実施の形態は上述の構成からなり、前面パネル８（後面パネル１０）を起立状態に支持する場合は、支柱５に挿通してある支持ピン２４の先端側２４Ａを前面パネル８の下パネル部８Ａに、後面パネル１０の枠部１０Ａに挿嵌した状態にして、ピン作動片２６を下方に押し下げ、締着ボルト２７を固定ナット２３に螺合させる。この際、当て板２２にピン作動片２６が当接し、ピン作動片２６は略垂直な状態になるから締着ボルト２７を固定ナット２３に螺入し易くなる。
このように、ピン作動片２６は締着ボルト２７で固定された状態になり、ピン作動片２６はフオークリフトの搬送時の振動を受けた場合や、農産物排出のためにコンテナを傾転させた場合でも変位することがないので、パネル８（１０）が基台２から外れる事態を確実に防止することができる。
【００２９】
また、前面パネル８を折畳んだり、開放する場合、また後面パネル１０を折畳む場合は、締着ボルト２７を固定ナット２３から外してピン作動片２６を可動状態にし、軸方向にスライドさせて支持ピン２４の先端側２４Ａをパネル８（１０）から離脱させる。これにより、パネル８（１０）は傾斜可能、或いは折畳み可能になる。
【００３０】
図２２乃至図２４は第３の実施の形態を示す。図において、３１はパネル支持機構、３２は該パネル支持機構３１を構成する当て板で、該当て板３２は支柱５に固着する横長の固定板部３２Ａと、該固定板部３２Ａの上端から前方に向けて水平に突出する平面視略Ｌ字状の当て板部３２Ｂとから側面視略倒置Ｌ字状に形成してあり、支柱５の内面に略水平に固着してある。そして、固定板部３２Ａには永久磁石３３が固着してある。
【００３１】
３４は支持ピンを示し、該支持ピン３４は支柱５の対向板５Ａ、５Ａに穿設した通し穴３５、３５に軸方向かつ周方向に摺動可能に挿通してある。３６は該対向板５Ａ、５Ａの間に位置して基端側３６Ａを支持ピン３４に取着したピン作動片で、該ピン作動片３６は支持ピン３４と一体に上下方向に回動可能になっており、先端側３６Ｂは前記永久磁石３３に着脱可能に磁着するようになっている。
【００３２】
本実施の形態は上述の構成からなり、前面パネル８（後面パネル１０）を起立状態に支持する場合は、支柱５に支持された支持ピン３２の先端側３２Ａを各パネル８（９）に挿嵌した状態でピン作動片３４の先端側３４Ｂが永久磁石に磁着し、振動を受けても支持ピン３２は変位しない状態になっている。
また、前面パネル８を折畳む場合、開放する場合、また後面パネル１０を折畳む場合は、ピン作動片３６の先端側３６Ｂを永久磁石３３から引き離して摺動可能な状態にして支持ピン３４の先端側３４Ａを前面パネル８（後面パネル１０）から引抜くように横方向にスライドさせる。これにより、前面パネル８（後面パネル９）は傾転することができる。
このように、支持ピン３４は永久磁石３３の磁力で変位不能にすることで、振動や傾転によってパネル８、１０から抜け出る事態を確実に防止することができる。
【符号の説明】
【００３３】
１        折畳み型コンテナ
２        架台
５        支柱
８        前面パネル
８Ａ      下パネル部
８Ｂ      上パネル部
８Ｃ      ヒンジ
９、２１、３１    パネル支持機構
９Ａ、２５，３５  通し穴
９Ｂ      固定ナット（ピン螺合体）
９Ｃ、２４、３４      支持ピン
１０      後面パネル
１０Ａ    枠部（構成材）
１０Ｂ    縦桟（構成材）
１０Ｃ    横桟（構成材）
１１      側面パネル
１１Ａ    枠部
１１Ａ１  下枠材
１４      連結機構
１５      遮蔽板
２６、３６    ピン作動片
【図１】
2019082301.tif 000003
【図２】
2019082301.tif 000004
【図３】
2019082301.tif 000005
【図４】
2019082301.tif 000006
【図５】
2019082301.tif 000007
【図６】
2019082301.tif 000008
【図７】
2019082301.tif 000009
【図８】
2019082301.tif 000010
【図９】
2019082301.tif 000011
【図１０】
2019082301.tif 000012
【図１１】
2019082301.tif 000013
【図１２】
2019082301.tif 000014
【図１３】
2019082301.tif 000015
【図１４】
2019082301.tif 000016
【図１５】
2019082301.tif 000017
【図１６】
2019082301.tif 000018
【図１７】
2019082301.tif 000019
【図１８】
2019082301.tif 000020
【図１９】
2019082301.tif 000021
【図２０】
2019082301.tif 000022
【図２１】
2019082301.tif 000023
【図２２】
2019082301.tif 000024
【図２３】
2019082301.tif 000025
【図２４】
2019082301.tif 000026